(57)【特許請求の範囲】
【請求項１】
互いに上下に対向する一対の水平の側壁と互いに左右に対向する一対の垂直の側壁とからなる周壁を有する機器類を、該機器類の取り付け位置に設けられた一対の支持部間に連結して支持する連結部材において、
前記水平の側壁の左右何れか一方の端部に一側半部が水平に当接されて、他側半部が当該端部の外方に延出して一方の支持部に臨む矩形状の第１連結板と、
該第１連結板の一側縁の全長に沿って下方に向かって一体に連設され、前記支持部に沿って当接される矩形状の第２連結板とからなり、
前記第１連結板は、前記水平の側壁の左右何れか一方の端部にねじ止めするための第１の止め穴を備え、
前記第２連結板は、前記機器類の左側に位置する支持部にねじ止めする場合と右側に位置する支持部にねじ止めする場合とで選択自在の左右一対の第２の止め穴を備えていることを特徴とする連結部材。
【請求項２】
前記第１連結板は、前記機器類の水平の側壁の左側端部に連結する場合と右側端部に連結する場合とで選択自在の左右一対の前記第１の止め穴を備えることを特徴とする請求項１記載の連結部材。
【請求項３】
前記第１連結板は、前記第２連結板と反対側に突出して、前記機器類の水平の側壁の左側端部に形成された係止凹部と、該水平の側壁の右側端部に形成された係止凹部とに選択的に係止自在の一対の係止舌片を備えていることを特徴とする請求項１又は２記載の連結部材。
【発明の詳細な説明】
【０００１】
【発明の属する技術分野】
本発明は、機器類の周壁に設けて、該機器類を支持部に連結して固定する連結部材の改良に関する。
【０００２】
【従来の技術】
この種の機器類として給湯器が挙げられる。該給湯器は、燃焼部等からなる本体が外装ケースに収められており、該外装ケースの周壁に設けられた連結部材を介して家屋の壁面等に取り付けられる。
【０００３】
近年、集合住宅等においては、前記給湯器をパイプシャフトと言われる鉄骨枠組みによる支持フレームに取り付けることが行われる。この種の支持フレームは、上下に向かって平行に延設された一対の棒状の支持部を備え、両支持部の間隔内に給湯器を支持するようになっている。そして、該給湯器は、左右一対の連結部材を介して左右の支持部に連結され支持フレームに固定される。
【０００４】
従来、図３に示すように、支持フレームの支持部１０，１１に固定する際に用いられる連結部材３０，３１は、矩形状の金属板材を折り曲げて形成されており、給湯器３２の周壁３３のうち、水平な下側壁３４の左右端部に一対設けられる。各連結部材３０，３１は、図３及び図４に示すように、下側壁３４に当接してねじ止めされる第１連結板３５と、該第１連結板３５の端縁から直角方向に折り曲げ形成され、支持フレームの支持部１０又は１１にねじ止めされる第２連結板３６とによって構成されている。そして、下側壁３４の左側に連結する連結部材３０には、第１連結板３５の右側寄りに下側壁３４へのねじ止め用の止め穴３７が形成されており、第２連結板３６の左側端部に支持部１０へのねじ止め用の止め穴３８が形成されている。一方、下側壁３４の右側に連結する連結部材３１には、前記左側に用いる連結部材３０と異なり、第１連結板３５の左側寄りに下側壁３４へのねじ止め用の止め穴３９が形成されており、第２連結板３６の右側端部に支持部１１へのねじ止め用の止め穴４０が形成されている。これにより、一方の連結部材３０は給湯器３２の下側壁３４の左端部に、他方の連結部材３１は給湯器３２の下側壁３４の右端部に夫々ねじ止めされる。
【０００５】
しかし、左側取り付け用の連結部材３０と右側取り付け用の連結部材３１とでは夫々のねじ止め用の止め穴３７，３８，３９，４０の位置が異なるために、各連結部材３０，３１を左右夫々に分けて管理しなければならない。この場合に、両連結部材３０，３１の外観が類似しているために左右の連結部材３０，３１の仕分け管理が煩わしく、例えば、左側取り付け用の連結部材３０のなかに右側取り付け用の連結部材３１が混在するといった間違いが生じ易い不都合がある。更に、下側壁３４への両連結部材３０，３１の取り付け作業時においても左側取り付け用の連結部材３０と右側取り付け用の連結部材３１との取り付け位置を誤ることがあり、作業効率が低下する不都合がある。
【０００６】
【発明が解決しようとする課題】
かかる不都合を解消して、本発明は、左側取り付けと右側取り付けとの何れにも共通して使用することができ、左右の仕分け管理を容易として取り付け作業の効率を向上することができる連結部材を提供することを目的とする。
【０００７】
【課題を解決するための手段】
かかる目的を達成するために、本発明は、互いに上下に対向する一対の水平の側壁と互いに左右に対向する一対の垂直の側壁とからなる周壁を有する機器類を、該機器類の取り付け位置に設けられた一対の支持部間に連結して支持する連結部材において、前記水平の側壁の左右何れか一方の端部に一側半部が水平に当接されて、他側半部が当該端部の外方に延出して一方の支持部に臨む矩形状の第１連結板と、該第１連結板の一側縁の全長に沿って下方に向かって一体に連設され、前記支持部に沿って当接される矩形状の第２連結板とからなり、前記第１連結板は、前記水平の側壁の左右何れか一方の端部にねじ止めするための第１の止め穴を備え、前記第２連結板は、前記機器類の左側に位置する支持部にねじ止めする場合と右側に位置する支持部にねじ止めする場合とで選択自在の左右一対の第２の止め穴を備えていることを特徴とする。
【０００８】
本発明の連結部材は、前記第１連結板の右側半部を前記第１の止め穴を介して前記水平の側壁の左端部にねじ止めしたとき、前記第２連結板の左側半部が前記機器類の左側に位置する支持部に沿って延出する。そして、前記第２連結板の左側の第２の止め穴を介して該支持部にねじ止めすることにより、前記機器類をその左側に位置する支持部に連結固定することができる。一方、本発明の連結部材は、前記第１連結板の左側半部を第１の止め穴を介して前記水平の側壁の右端部にねじ止めし、前記機器類の右側の支持部に沿って延出する第２連結板の右側の第２の止め穴を介して該支持部にねじ止めすることにより、前記機器類をその右側に位置する支持部に連結固定することができる。このように、同一形状の連結部材を用いて両支持部間に前記機器類を連結することができる。
【０００９】
従って、本発明によれば、左右に用いる連結部材の形状を共通化して左右の仕分けを不要とし、その管理を容易に行うことができる。更に、左右に用いる連結部材の形状が同一であるので、前記機器類をその左右の支持部に取り付ける際に一対の連結部材を使用すれば、夫々の連結部材を左右何れにも使用することができ、左右の取り付け間違いが生じることなく円滑に取り付け作業を行うことができる。
【００１０】
また、本発明において、前記第１連結板は、前記機器類の水平の側壁の左側端部に連結する場合と右側端部に連結する場合とで選択自在の左右一対の前記第１の止め穴を備えることを特徴とする。
【００１１】
例えば、本発明の連結部材を前記機器類の前記水平の側壁の左端部にねじ部材によりねじ止めする場合には、該水平の側壁の左端と左側壁との境界である角部に前記第１の止め穴が臨んでしまうと当該角部にねじ部材を螺着することが困難となる。特に、当該角部が円弧状に形成されている場合には、第１の止め穴と当該角部との間に間隙が形成されるために、ねじ部材を螺着することが一層困難である。従って、水平の側壁の左端部においては、前記第１の止め穴が前記第１連結板の右側寄り（左端の角部に重ならない位置）に位置させることが好ましい。しかし、その反面、連結部材を前記水平の側壁の右端部にねじ止めする場合には、前記第１の止め穴は前記第１連結板の左側寄り（右端の角部に重ならない位置）に位置させることが好ましい。そして、前記第１の止め穴を単一としてこれらを両立させるためには、水平の側壁の左右の何れの端部に位置しても、前記第１の止め穴が角部に臨むことがないように、第１連結板の長さ寸法を比較的大とすることが考えられるが、それに伴って連結部材の外形も大となる。
【００１２】
そこで、本発明においては、左右一対の前記第１の止め穴を第１連結板に設けたことにより、水平の側壁の左右の何れの端部に取り付けても、角部から遠い位置にある第１の止め穴を選択して水平の側壁にねじ止めすることができる。これにより、第１連結板の長さ寸法を比較的小として左右側何れに設けた場合にも確実に機器類と支持部とを連結することができる。
【００１３】
また、本発明において、前記第１連結板は、前記第２連結板と反対側に突出して、前記機器類の水平の側壁の左側端部に形成された係止凹部と、該水平の側壁の右側端部に形成された係止凹部とに選択的に係止自在の一対の係止舌片を備えていることを特徴とする。
【００１４】
一方の係止舌片は、前記第１連結板を前記機器類の水平の側壁の左側端部に取り付ける際に、前記水平の側壁の左側端部に形成された係止凹部に係合され、前記水平の側壁に第１の止め穴を介してねじ止めする際に位置決めを容易とすることができる。同じように、他方の係止舌片は、前記水平の側壁の右側端部に取り付ける際に、前記水平の側壁の右側端部に形成された係止凹部に係合されるので、ねじ止めの際の位置決めを容易とすることができる。このように、前記機器類の水平の側壁に前記第１連結板をねじ止めする作業を円滑に行うことができる。更に、前記第１連結板は、ねじ止めされた後に係止凹部と係止舌片との係合によって回り止めされており、機器類の水平の側壁への強固な連結状態を維持することができる。
【００１５】
【発明の実施の形態】
本発明の一実施形態を図面に基づいて説明する。図１は本実施形態の連結部材による給湯器の取り付け状態を示す説明的縦断面図、図２は本実施形態の連結部材を示す説明的斜視図である。
【００１６】
本実施形態の連結部材（後述する下部連結部材１）は、図１に示すように、給湯器２を支持フレーム３に連結固定する際に設けられる。該給湯器２は、燃焼部等の本体（図示を省略した）を収容する外装ケース４を備えている。該外装ケース４は、上側板５、下側板６、左側壁７、及び右側壁８によって前記燃焼部等の本体を包囲する周壁９を備えている。
【００１７】
前記支持フレーム３は、近年、集合住宅等において通常見られる給湯器２を支持するためのパイプシャフトと言われる鉄骨枠組みであり、上下方向に平行に起立された左右一対の棒状支持部１０，１１と、両棒状支持部１０，１１の上部に水平に連設された梁状支持部１２とを備えている。
【００１８】
前記給湯器２は、上側板５に取り付けられた上部連結部材１３によって前記梁状支持部１２に連結固定され、下側板６の左右側端部に取り付けられた一対の下部連結部材１（本発明による連結部材）とによって両棒状支持部１０，１１間に連結固定されている。
【００１９】
前記上部連結部材１３は、詳しい図示は省略するが、図１を参照して説明すれば、矩形状の鉄製板材を側面視略Ｌ字状に折り曲げて形成されたものであり、上側板５に連結された給湯器連結板１４と該給湯器連結板１４の一端縁から起立して前記梁状支持部１３の側面（全面側）にねじ止めされたフレーム連結板１５とによって構成されている。
【００２０】
前記下部連結部材１は、図１及び図２に示すように、矩形状の鉄製板材を側面視略Ｌ字状に折り曲げて形成されたものであり、下側板６に連結される給湯器連結板１６（第１連結板）と、取り付け位置に応じて何れかの棒状支持部１０，１１に連結されるフレーム連結板１７（第２連結板）と、給湯器連結板１６側のフレーム連結板１７の端縁から突出する一対の係止舌片１８，１９とによって構成されている。なお、係止舌片１８，１９は、図示しないが、矩形状の鉄製板材の給湯器連結板１６が形成される部分にコ字形の切込みを形成しておき、該鉄製板材を折り曲げることで給湯器連結板１６から離脱させて形成したものである。
【００２１】
前記給湯器連結板１６には、該下部連結部材１を下側板６の左側端部に取り付けた際にねじ部材ａ（図１示）を挿通させてねじ止めするための左部給湯器連結用止め穴２０（図２中右側に位置する穴）と、該下部連結部材１を下側板６の右側端部に取り付けた際にねじ部材ａ（図１示）を挿通させてねじ止めするための右部給湯器連結用止め穴２１（図２中左側に位置する穴）とが形成されている。このように、該下部連結部材１を下側壁６の左右の何れかの側端部に設けるかに応じて給湯器連結用止め穴２０，２１を選択することができ、角部を避けて平坦な位置に確実にねじ止めすることができる。即ち、図１に示すように、前記給湯器２の周壁９の各角部が円弧状に形成されている場合に、給湯器連結板１６が各角部に対向する位置には間隔が形成されるが、給湯器連結用止め穴２０，２１のうち、下側壁６の平坦な部分に密着する位置に設けられた一方を選択することにより、下側壁６への給湯器連結板１６の連結を確実に行うことができる。
【００２２】
また、図１及び図２に示すように、前記フレーム連結板１７には、該下部連結部材１を下側板６の左側端部に取り付けた際にねじ部材ｂ（図１示）を挿通させて前記支持フレーム３の左側棒状支持部１０にねじ止めするための左部フレーム連結用止め穴２２（図２中左側に位置する穴）と、該下部連結部材１を下側板６の右側端部に取り付けた際にねじ部材ｂ（図１示）を挿通させて右側棒状支持部１１にねじ止めするための右部フレーム連結用止め穴２３（図２中右側に位置する穴）とが形成されている。両フレーム連結用止め穴２２，２３は夫々長穴状に形成されており、各棒状支持部１０，１１に形成された図示しないねじ穴に螺着されるねじ部材ｂとの位置ずれが吸収できるようになっている。
【００２３】
また、前記係止舌片１８，１９は、図１に示すように、前記下側壁６に形成された係止穴２４，２５（係止凹部）に係止される。即ち、該下部連結部材１を下側板６の左側端部に取り付けた際には、図２において右側に位置する係止舌片１９が、下側板６の左側端部に形成された係止穴２５（図１参照）に係止される。該下部連結部材１を下側板６の右側端部に取り付けた際には、図２において左側に位置する係止舌片１８が、下側板６の右側端部に形成された係止穴２４（図１参照）に係止される。これにより、前記給湯器連結板１６を下側板６に取り付ける際に、各々の係止舌片１８，１９と係止穴２４，２５とが係止され、ねじ止め作業の際に位置決めを容易とすることができると共に、該下部連結部材１が回り止めされて確実なねじ止め状態を維持することができる。なお、図２に示すように、各係止舌片１８，１９の上端側の角部端縁は図示するように円弧状に形成しておくことが好ましい。これによって、係止穴２４，２５への挿入を円滑に行うことができる。
【００２４】
以上のように、本実施形態の連結部材１は左右の何れの取り付けにも使用することができる構成を有するので、従来の左右対称の連結部材を各別に使用する場合のような、左右の振り分けや取り付けを間違えるといった事態を確実に防止することができる。
【図面の簡単な説明】
【図１】本発明の一実施形態の連結部材による給湯器の取り付け状態を示す説明的縦断面図。
【図２】本実施形態の連結部材を示す説明的斜視図。
【図３】従来の連結部材による給湯器の取り付け状態を示す説明的縦断面図。
【図４】従来の連結部材を示す説明的斜視図。
【符号の説明】
１…下部連結部材（連結部材）、２…給湯器（機器類）、６…下側板（水平の側壁）、７…左側壁（垂直の側壁）、８…右側壁（垂直の側壁）、９…周壁、１０，１１…棒状支持部（支持部）、１６…給湯器連結板（第１連結板）、１７…フレーム連結板（第２連結板）、１８，１９…係止舌片、２０，２１…給湯器連結用止め穴（第１の止め穴）、２２，２３…フレーム連結用止め穴（第２の止め穴）、２４，２５…係止穴（係止凹部）。
【図１】
0003746908.tif 000002
【図２】
0003746908.tif 000003
【図３】
0003746908.tif 000004
【図４】
0003746908.tif 000005